(57)【要約】      （修正有）【課題】滑り止め効果が強化され、押圧板を押し込む等の操作を行わずとも、容易に定規を固定可能であり、且つ、用紙上において滑らせて使用することも可能であり、いずれの場合においても、スケールが視認しやすい定規を提供する。【解決手段】定規は、一方の面のみに滑り止め層４が設けられ、滑り止め層に凹凸が設けられたことを特徴とする。また、一方の面のみに滑り止め層が設けられ、表面から見て正対して見えるスケール１１と、裏面から見て正対して見えるスケール１３とを備えたことを特徴とする。【選択図】図３
0003192187.tif 000002
【実用新案登録請求の範囲】
【請求項１】
一方の面のみに滑り止め層が設けられ、
当該滑り止め層に凹凸が設けられた、
ことを特徴とする定規。
【請求項２】
上記滑り止め層に設けられた凹凸は、当該定規に関係する文字またはマークである
ことを特徴とする請求項１に記載の定規。
【請求項３】
一方の面のみに滑り止め層が設けられ、
表面から見て正対して見えるスケールと、
裏面から見て正対して見えるスケールと
を備えたことを特徴とする定規。
【請求項４】
透明板と、
当該透明板の裏面に接して設けられた表面用透明シートと、
当該表面用透明シートに接して設けられた不透明シートと、
当該不透明シートに接して設けられた裏面用透明シートと、
当該裏面用透明シートに接して設けられた滑り止め層と
を備え、
上記表面用透明シートは、上記透明板の表面から見て正対して見えるスケールが印刷され、
上記裏面用透明シートは、上記透明板の裏面から見て正対して見えるスケールが印刷されている
ことを特徴とする請求項３に記載の定規。
【請求項５】
透明板を備え、
当該透明板の裏面に、
上記透明板の表面から見て正対して見えるスケールと、
不透明領域と、
上記透明板の裏面から見て正対して見えるスケールと、
上記滑り止め層と、
が順に印刷により形成される
ことを特徴とする請求項３に記載の定規。
【請求項６】
上記滑り止め層は紫外線硬化性樹脂からなる
ことを特徴とする請求項１から５のいずれかに記載の定規。
【請求項７】
上記滑り止め層はスクリーン印刷により形成される
ことを特徴とする請求項１から６のいずれかに記載の定規。
【考案の詳細な説明】
【技術分野】
【０００１】
本考案は、滑り止め機能を持つ定規に関するものである。
【背景技術】
【０００２】
滑らかな表面を持つ用紙上に定規を用いて線を引く場合、定規と用紙表面との摩擦力が小さいため、定規が横ずれして、線が曲がってしまうことがある。
また、定規を用いて、カッターナイフ等で切断を行う場合には、定規に大きな力が掛かり、やはり定規が横ずれして、所望の切断を行うことが困難な場合がある。
さらに、定規２本を用いて、一方を固定し、他方を固定した定規の長辺に沿って動かして平行線を引く等の場合においても、定規の固定が不十分で平行な線がうまく弾けない場合がある。
【０００３】
上記の問題を解決するために、滑り止め機構付き定規として、押圧されて曲がる押圧板の裏面側に、摩擦力の高い滑り止め部を設けたものが提案されている。この滑り止め部は、ゴムなどの粘着素材による摩擦力が高い素材から形成されている。押圧板は、定規本体の水平位置に対して上向きに反って形成されている。これにより、滑り止め部と定規本体を載置する載置面との間には間隙を有する。この構成によって、押圧板が押圧されることで、定規本体を載置する載置面に滑り止め部が押し付けられて摩擦力が生じ、定規本体を該載置面に固定できるようになる。また、滑り止め部が載置面と接触しない場合、定規本体は載置面の上を円滑にスライド移動できる。（例えば、特許文献１）。
【先行技術文献】
【特許文献】
【０００４】
【特許文献１】実用新案登録第３１５２９９４号
【考案の概要】
【考案が解決しようとする課題】
【０００５】
上述した特許文献１に開示されている定規は、押圧板を形成するための切り込み等を設ける必要があり、構造及び製造過程が複雑になり、製造コストが増加してしまう。
また、押圧板周囲にゴミ等が詰まりやすく、詰まった際には、滑り止め部が接地面に接触せず、滑り止め効果が生じないという問題もある。
さらに、未就学あるいは小学生の児童が使用する場合、押圧版をしっかりと押し込むことが難しく、十分な滑り止め効果が発揮できないことがある。
【課題を解決するための手段】
【０００６】
本考案の請求項１に係る定規は、一方の面のみに滑り止め層が設けられ、当該滑り止め層に凹凸が設けられたことを特徴とする。
【０００７】
本考案の請求項２に係る定規は、上記滑り止め層に設けられた凹凸が、当該定規に関係する文字またはマークであることを特徴とする。
【０００８】
本考案の請求項３に係る定規は、一方の面のみに滑り止め層が設けられ、表面から見て正対して見えるスケールと、裏面から見て正対して見えるスケールとを備えたことを特徴とする。
【０００９】
本考案の請求項４に係る定規は、透明板と、当該透明板の裏面に接して設けられた表面用透明シートと、当該表面用透明シートに接して設けられた不透明シートと、当該不透明シートに接して設けられた裏面用透明シートと、当該裏面用透明シートに接して設けられた滑り止め層とを備え、上記表面用透明シートは、上記透明板の表面から見て正対して見えるスケールが印刷され、上記裏面用透明シートは、上記透明板の裏面から見て正対して見えるスケールが印刷されていることを特徴とする。
【００１０】
本考案の請求項５に係る定規は、透明板を備え、当該透明板の裏面に、上記透明板の表面から見て正対して見えるスケールと、不透明領域と、上記透明板の裏面から見て正対して見えるスケールと、上記滑り止め層とが順に印刷により形成されることを特徴とする。
【００１１】
本考案の請求項６に係る定規は、上記滑り止め層が紫外線硬化性樹脂からなることを特徴とする。
【００１２】
本考案の請求項７に係る定規は、上記滑り止め層はスクリーン印刷により形成される
ことを特徴とする。
【考案の効果】
【００１３】
本考案に係る定規は、上記のように構成されているので、滑り止め効果が強化され、押圧板を押し込む等の操作を行わずとも、容易に定規を固定できる。
また、表裏のいずれの面にも正対して見えるスケールを備えているので、用紙等の上を自由に滑らせて使用したい場合には、滑り止めが施されていない面を上にして使用すれば良い。
【図面の簡単な説明】
【００１４】
【図１】本考案に係る定規の（ａ）表面図と（ｂ）裏面図である。
【図２】本考案の係る定規に設けられた滑り止め層の詳細図である。
【図３】本考案の係る定規の組立て方法を説明するための図である。
【考案を実施するための形態】
【００１５】
実施の形態１．
本考案に係る定規の構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１６】
本実施の形態においては、一例として、直線定規について説明するが、以下に説明する本考案に係る定規の構成は、直線定規だけではなく、三角定規や分度器等にも適用できる。
【００１７】
まず、図を用いて、本考案に係る定規の構成について説明する。
図１は定規の（ａ）表面図と（ｂ）裏面図である。
図１（ｂ）に示す裏面は、図１（ａ）に示す表面を、Ａ−Ａを回転軸として１８０度回転させたものである。
定規は、表面から正対して見える表スケール１ａ、裏面から正対して見える裏スケール１ｂ、透明部２、ロゴ３、および滑り止め層４等から構成されている。
【００１８】
表スケール１ａはスケールと数字から構成されている。例えば、スケールは１ｍｍごとに縦線が設けられ、さらに１ｃｍごとに長い縦線が、長い縦線の中間には中程度の縦線が設けられ、寸法を計測しやすいようになっている。また、長い縦線の直下に数字が設けられ、ｃｍ単位を素早く把握できるようにしている。
裏スケール１ｂについても同様である。
【００１９】
図１において、グレーで示した領域は不透明な領域であり、表スケール１ａと裏スケール１ｂがそれぞれ重なって見えることがないように、この不透明な領域が設けられている。
グレーで示した不透明な領域以外の領域は透明な領域である透明部２である。
【００２０】
また、製品名や会社名を示すロゴ３が設けられている。ここでは、仮にこの定規の製品名が「Ｎ」であるとして、「Ｎ」という文字を定規上に示している。なお、このロゴは、図１に示すように透明部２に設けても良いし、グレーで示した不透明な領域をさらに追加し、その上に設けても良い。
そして、裏面には、図１（ｂ）において点線で示す領域に滑り止め層４が設けられている。
【００２１】
この滑り止め層４は、樹脂やシリコーン等のゴム剤からなり、透明な材質であるとともに、様々な材質に対して高い密着性または大きな摩擦係数を有するものである。本実施の形態においては、以上の条件を満足する紫外線硬化性樹脂を用いた。
【００２２】
滑り止め層４は平坦な層であっても十分な滑り止め効果を発揮できるが、さらに滑り止め効果を向上させるために、細かな凹凸を設けても良い。例えば、図２に示すような細かな凹凸である。この図２においては、ロゴと同様の「Ｎ」を模した凸部を設けている。
なお、「Ｎ」を模した部分は凸部ではなく、凹部であっても良い。
【００２３】
次に定規を構成するためのパーツとその組立て方法について、図３を用いて説明する。
まず、構成パーツとしては、２ｍｍ厚程度の樹脂製の透明板１０、表スケール１ａとなる表面用透明シート１１、不透明シート１２、裏スケール１ｂとなる裏面用透明シート１３、および滑り止め層４からなる。
【００２４】
表面用透明シート１１、不透明シート１２、および裏面用透明シート１３は、それぞれ薄いシートであり、具体的には０．０５ｍｍから０．２ｍｍ程度の厚みのシートである。
また、滑り止め層４は上述した材質の層であり、本実施の形態においては、スクリーン印刷により外形と凹凸形状を形成している。
【００２５】
これらのパーツを組み立てて、最終的に定規を構成するまでの組立て方法について説明する。
まず、透明板１０の裏面に、スケールの数字が透明板１０の表面から正対して見えるように、表面用透明シート１１を貼り付ける。
そして、不透明シート１２、裏面用透明シート１３の順に貼り付けていく。裏面用透明シート１３は、表面用透明シート１１と表裏の関係になるように、数字が逆の面から正対して見えるように貼りつける。すなわち、裏面用透明シート１３は、透明板１０の裏面から正対して見えるように貼り付ける。
【００２６】
表面用透明シート１１、不透明シート１２、および裏面用透明シート１３の貼り付け方法として、透明な接着剤を用いても良いし、シート自体が粘着性シートであっても良い。あるいは、加熱および加圧を行って貼り付けても良い。
【００２７】
最後に、滑り止め層４を、外形と凹凸形状が所望の形状になるようにスクリーン印刷により形成する。滑り止め層は紫外線照射により硬化させる。
紫外線硬化性樹脂を用いた理由は、硬化時間が短くて済むことと、常温で硬化できることである。熱硬化性樹脂等を用いる場合には、熱により、定規全体に歪が生じたり、シート材が熱収縮したりする危険性が有るが、紫外線照射による硬化では、このような心配は無い。
【００２８】
なお、透明シート１１、１３や不透明シート１２を用いずに、すべて印刷を用いて作製しても良い。
例えば、透明板１０の裏面に、表スケール１ａをシルクスクリーン印刷する。続いて、図１においてグレーで示した不透明な領域をシルクスクリーン印刷する。さらに、裏スケール１ｂをシルクスクリーン印刷する。
このように、透明板１０の裏面に、表スケール１ａ、不透明領域、裏スケール１ｂの順に、多重に印刷して作製しても良い。
このように多重印刷を用いても、透明板の表面から見て正対して見えるスケールと、透明板の裏面から見て正対して見えるスケールとを設けることができる。
【００２９】
以下、本考案の特長についてまとめる。
定規は、学校や家庭、ビジネスの現場等において、広く用いられている。使用する人の年齢も未就学児童から大人までと幅広く、使用用途も多岐に渡っている。
本考案に係る定規は、子供でも容易に使用することができると同時に、幅広い用途に使用な可能な特徴を有するものである。
【００３０】
定規の用途としては、寸法測定、線引きといった主用途の他にも、カッターナイフとともに切断に使用することもできる。また、２枚の定規を用い、一方を固定し、他方を固定した定規に沿って動かして、平行線を引いたりすることで、製図用途にも使用できる。
したがって、定規をしっかりと用紙上に固定して使用する場合もあれば、用紙上を自由に滑らせて使用する場合もある。
【００３１】
本考案に係る定規は、一方の面のみに滑り止め層を設けたことで、しっかりと用紙上に固定して使用する場合には、滑り止め層を下にして使用すれば良い。
一方、用紙上を自由に滑らせて使用する場合には、滑り止め層を上にして使用すれば良い。
こういった使い分けは、未就学児童でも理解しやすいものである。
【００３２】
また、滑り止め効果を向上させるため、滑り止め層に凹凸を設けている。凹凸を設けることで、用紙等との摩擦係数が増加し、滑り止め効果が強化される。
さらに、微小な凹凸面や、歪んだ面上で使用する際にも、その面の形状に合うように、滑り止め層が変形することで、摩擦力を大きくすることができる。滑り止め層に凹部が設けられていることで、凸部は自由に変形しやすくなり、微小な凹凸面を持つ用紙等にもしっかりとフィットし、十分な滑り止め効果が得られる。
【００３３】
また、滑り止め層に設けられた凹凸を、定規に関係する文字またはマークに模したものとすることで、意匠効果も生じる。凹凸は透明な滑り止め層に設けられるので、通常の使用においては、あまり視覚的に認識できないが、光の当たる角度等によっては、ハッキリと視認できるので、一種の驚きを使用者に与え、製品の印象付けを強く行うことができる。
未就学児童や小学生にとっては、視覚的に楽しめることで、定規に対する興味や愛着が増すといったメリットも生じる。
【００３４】
この滑り止め層に設けられた凹凸は、意匠効果だけではなく、重要な実用的効果も得られる。上述のように、凹凸は通常の使用においては視覚的に認識できないが、紙面に密着させた場合にはハッキリと認識できるようになる。したがって、定規を紙面にしっかりと密着するまで押し付けたことが、視覚的に認識できるようになり、定規を間違いなくしっかりと固定できる。
【００３５】
そして、表面から見て正対して見えるスケールと、裏面から見ても正対して見えるスケールとを備えているので、両面どちらでも、同じような感覚で使用可能であり、寸法の読み間違えも起こりずらい。したがって、固定して使いたい際にも、滑らせて使いたい際にも、いずれにおいても同様にスケールが見やすく使い易い。
【００３６】
滑り止め層としては、紫外線硬化性樹脂を用いることで、硬化時間を大幅に短縮できる。それとともに、高温で硬化させる必要が無いので、透明板を歪ませたり、各シートを収縮させたりする問題も生じない。
【００３７】
また、滑り止め層をスクリーン印刷で形成することで、細かな形状も正確に形成できる。したがって、意匠性を向上できるとともに、様々な使用面に対して十分な滑り止め効果を得られることで実用性も向上できる。
【００３８】
最後に、本考案に係る定規の具体的な使用方法について言及する。
まず、寸法を計測する際には、定規のゼロ目盛位置を計測物の端点に合わせる必要があるので、定規が滑りやすいように滑り止め層を上にして使用する。
他方、作図をする際には、線がずれないように、定規をしっかりと固定する。したがって、滑り止め層を下にして使用し、目盛を見ながら必要な長さの線を引く。
この２つの使い方においては、表裏を反転させて滑りやすい状態、あるいは固定しやすい状態で使用するが、表裏どちらの面でも目盛がしっかりと正対して読めることで、寸法の計測にも製図にも適している。
また、カッターナイフ等を用いて所望の長さを切断する際にも、上述の製図の際と同様に使用すれば良い。
【００３９】
小学校の算数の授業においては、２枚の三角定規を使った平行線の作図が必須項目になっているが、このような作図も、本考案に係る定規を用いれば、確実に行うことができる。すなわち、固定する三角定規は滑り止め層を下にして使用し、移動させる三角定規は滑り止め層を上にして使用する。平行線の間隔は前者の三角定規の目盛で読み、平行線の長さは後者の三角定規の目盛で読む。表裏どちらでも目盛がしっかりと正対して読むことができるので、この必須項目の作図にも適切に対応できる。
【符号の説明】
【００４０】
１ａ    表スケール部
１ｂ    裏スケール部
２    透明部
３    ロゴ
４    滑り止め層
１０  透明版
１１  表面用透明シート
１２  不透明シート
１３  裏面用透明シート
４１  凹部
【図１】
0003192187.tif 000003
【図２】
0003192187.tif 000004
【図３】
0003192187.tif 000005